(57)【要約】【課題】プロジェクタに用いられる光変調素子の特性変化を適切に判断し、それに基づいてプロジェクタのメンテナンスを行う。【解決手段】光源からの光を画像信号に応じて変調する光変調素子を有する画像表示装置としてのプロジェクタＰＪ１，ＰＪ２，・・・と、該プロジェクタに対するメンテナンス情報を生成して、プロジェクタに送信可能な管理サーバＳＶとを有する画像表示装置のメンテナンスシステムであって、プロジェクタＰＪ１，ＰＪ２，・・・は、光変調素子の負荷情報の取得が可能な光変調素子の負荷情報取得装置と、光変調素子の負荷情報の出力及び管理サーバＳＶからのメンテナンス情報を入力可能な管理情報入出力制御部１９とを有し、管理サーバＳＶは、プロジェクタからの光変調素子の負荷情報に基づいて光変調素子の特性変化の度合いを判断し、その判断結果に基づいてメンテナンス情報を生成するメンテナンス情報生成部を有する。【選択図】図１
2007108205.tif 000002
【特許請求の範囲】
【請求項１】
光源からの光を画像信号に応じて変調する光変調素子を有する画像表示装置と、前記画
像表示装置に対するメンテナンス情報を生成して、前記メンテナンス情報を前記画像表示
装置に送信可能な管理サーバとを有する画像表示装置のメンテナンスシステムであって、
前記画像表示装置は、前記光変調素子の特性変化の度合いを予測可能な光変調素子の負
荷情報を取得する光変調素子の負荷情報取得装置と、前記光変調素子の負荷情報の出力及
び前記管理サーバからの前記メンテナンス情報を入力可能な管理情報入出力制御部とを有
し、
前記管理サーバは、前記画像表示装置で取得された光変調素子の負荷情報に基づいて前
記光変調素子の特性変化の度合いを判断し、その判断の結果に基づいて前記メンテナンス
情報を生成するメンテナンス情報生成部を有することを特徴とする画像表示装置のメンテ
ナンスシステム。
【請求項２】
請求項１に記載の画像表示装置のメンテナンスシステムにおいて、
前記画像表示装置と前記管理サーバとはネットワークを介して接続されることを特徴と
する画像表示装置のメンテナンスシステム。
【請求項３】
請求項１または２に記載の画像表示装置のメンテナンスシステムにおいて、
前記光変調素子は、複数の基本色に対応して複数個設けられ、前記光変調素子の負荷情
報は前記複数個の光変調素子それぞれに対して取得されるとともに、前記メンテナンス情
報は前記複数個の光変調素子それぞれに対して生成されることを特徴とする画像表示装置
のメンテナンスシステム。
【請求項４】
請求項１〜３のいずれかに記載の画像表示装置のメンテナンスシステムにおいて、
前記メンテナンス情報は、前記光変調素子の交換の必要性を示す情報及び／又は交換時
期に関する情報であることを特徴とする画像表示装置のメンテナンスシステム。
【請求項５】
請求項４に記載の画像表示装置のメンテナンスシステムにおいて、
前記交換時期に関する情報は、所定時間ごとに生成された過去の複数の前記光変調素子の
負荷情報に基づいて求められることを特徴とする画像表示装置のメンテナンスシステム。
【請求項６】
請求項１〜５のいずれかに記載の画像表示装置のメンテナンスシステムにおいて、
前記光変調素子の負荷情報は、前記光変調素子に加わる負荷に基づく負荷値を積算した
累積負荷値であることを特徴とする画像表示装置のメンテナンスシステム。
【請求項７】
請求項６に記載の画像表示装置のメンテナンスシステムにおいて、
前記光変調素子に加わる負荷に基づく負荷値は、前記光変調素子に入射される光源の光
の強度と前記画像信号の階調に関する情報、前記光変調素子の温度に関する情報、画像表
示装置の稼動時間に関する情報の少なくとも１つに基づいて求められることを特徴とする
画像表示装置のメンテナンスシステム。
【請求項８】
請求項１〜７のいずれかに記載の画像表示装置のメンテナンスシステムにおいて、
前記画像表示装置は、前記管理サーバに対して必要に応じて接続可能とすることを特徴
とする画像表示装置のメンテナンスシステム。
【請求項９】
請求項１〜７のいずれかに記載の画像表示装置のメンテナンスシステムにおいて、
前記画像表示装置は、前記管理サーバに対して常時接続状態とすることを特徴とする画
像表示装置のメンテナンスシステム。
【請求項１０】
請求項１〜９のいずれかに記載の画像表示装置のメンテナンスシステムにおいて、
前記光変調素子は液晶を用いた光変調素子であることを特徴とする画像表示装置のメン
テナンスシステム。
【請求項１１】
光源からの光を画像信号に応じて変調する光変調素子を有する画像表示装置と、前記画
像表示装置に対するメンテナンス情報を生成して、前記メンテナンス情報を前記画像表示
装置に送信可能な管理サーバとを有する画像表示装置のメンテナンスシステムに用いられ
る前記画像表示装置であって、
前記光変調素子の特性変化の度合いを予測可能な光変調素子の負荷情報を取得する光変
調素子の負荷情報取得装置と、前記光変調素子の負荷情報の出力及び前記管理サーバから
の前記メンテナンス情報を入力可能な管理情報入出力制御部とを有することを特徴とする
画像表示装置。
【請求項１２】
光源からの光を画像信号に応じて変調する光変調素子を有する画像表示装置と、前記画
像表示装置に対するメンテナンス情報を生成して、前記メンテナンス情報を前記画像表示
装置に送信可能な管理サーバとを有する画像表示装置のメンテナンスシステムに用いられ
る前記画像表示装置に、前記メンテナンス情報の取得を実行させる画像表示装置のメンテ
ナンス情報取得プログラムであって、
前記光変調素子の特性変化の度合いを予測可能な光変調素子の負荷情報を取得するステ
ップと、
前記光変調素子の負荷情報を前記管理サーバに出力するステップと、
前記管理サーバからの前記メンテナンス情報を入力するステップと、
を有することを特徴とする画像表示装置のメンテナンス情報取得プログラム。
【請求項１３】
光源からの光を画像信号に応じて変調する光変調素子を有する画像表示装置と、前記画
像表示装置に対するメンテナンス情報を生成して、前記メンテナンス情報を前記画像表示
装置に送信可能な管理サーバとを有する画像表示装置のメンテナンスシステムに用いられ
る前記管理サーバであって、
前記画像表示装置で取得された光変調素子の負荷情報に基づいて前記光変調素子の特性
変化の度合いを判断し、その判断の結果に基づいて前記メンテナンス情報を生成するメン
テナンス情報生成部を有することを特徴とする管理サーバ。
【請求項１４】
光源からの光を画像信号に応じて変調する光変調素子を有する画像表示装置と、前記画
像表示装置に対するメンテナンス情報を生成して、前記メンテナンス情報を前記画像表示
装置に送信可能な管理サーバとを有する画像表示装置のメンテナンスシステムに用いられ
る前記管理サーバに、前記メンテナンス情報の生成を実行させる管理サーバのメンテナン
ス情報生成プログラムであって、
前記画像表示装置で取得された光変調素子の負荷情報に基づいて前記光変調素子の特性
変化の度合いを判断するステップと、
その判断の結果に基づいて前記メンテナンス情報を生成するステップと、
を有することを特徴とする管理サーバのメンテナンス情報生成プログラム。
【発明の詳細な説明】
【技術分野】
【０００１】
本発明は画像表示装置のメンテナンスシステム、画像表示装置のメンテナンスシステム
に用いられる画像表示装置、画像表示装置のメンテナンス情報取得プログラム、画像表示
装置のメンテナンスシステムに用いられる管理サーバ、管理サーバのメンテナンス情報生
成プログラムに関する。
【背景技術】
【０００２】
近年、投写型の画像表示装置（プロジェクタという）がビジネスにおけるプレゼンテー
ションや一般家庭におけるホームシアタなどの用途として広く普及しつつある。これに伴
い、プロジェクタは、より低コストで高性能であることは勿論のこと、メンテナンス性が
高いことも求められている。
【０００３】
従来のプロジェクタにおいて、表示するコンテンツの種類やプロジェクタの使用環境な
どに応じて光源の光の強度を変化させたり、プロジェクタの有する色再現域に応じた画像
信号変換を行ったりする技術が知られている。これを利用して、たとえば、プロジェクタ
をプレゼンテーション用として使用する場合は、色再現性よりも明るさを重視したプレゼ
ンテーションモードとし、映画鑑賞用として使用する場合は明るさよりも色再現性を重視
したシアターモードとするというように、用途に応じたモード（カラーモードという）の
設定機能を有しているものも多い。
【０００４】
このようなカラーモードの設定機能を適正に実現させるには、色再現性や明るさを決め
る光変調素子の特性に大きな変化がないことが重要である。しかしながら、光変調素子は
長時間の使用の結果、特性が変化することが知られている。光変調素子の特性が変化する
と、プロジェクタの初期（購入直後など）における色再現域に基づいて画像信号変換を行
った場合、目標とする色を得ることができない場合もある。
したがって、プロジェクタを長期間使用しても色再現性などの性能を適切に維持できる
ようにするためのメンテナンスが必要となる。
【０００５】
現在、広く使用されているプロジェクタとして、光変調素子として液晶表示素子（液晶
ライトバルブという）を用いたプロジェクタが普及している。この種のプロジェクタにお
いては、光源としてのランプは交換部品としてユーザが交換可能であるが、プロジェクタ
としての性能を大きく左右する液晶ライトバルブの交換は容易には行えない。
【０００６】
特に、Ｒ（赤）・Ｇ(緑)・Ｂ(青)それぞれに対応して液晶ライトバルブが設けられた液
晶３板式のプロジェクタにおいては、ダイクロイックプリズムと３枚の液晶ライトバルブ
とが一体化されて１つのユニットとなっているものが多い。
【０００７】
このため、プロジェクタの長期間の使用により液晶ライトバルブの特性が変化した場合
、液晶ライトバルブそのものをユーザが交換できるものではなく、故障扱いとしてメーカ
側で修理することとなる。このとき、メーカ側では、液晶ライトバルブのみを交換するの
ではなく、一体化されたダイクロイックプリズムと３枚の液晶ライトバルブをそのまま交
換するのが一般的である。これは、３枚の液晶ライトバルブを高精度に位置調整する必要
があり、しかも、その位置調整が非常に難しいからである。
【０００８】
これを解決するための技術として、３枚の液晶ライトバルブを独立にソフトウエアによ
り位置調整可能とする技術が提案されている。この技術を適用することで、３枚の液晶ラ
イトバルブを独立に交換可能なプロジェクタを提供することができると考えられる。しか
し、このような技術を適用するには、どの液晶パネルがどのように特性変化しているかを
客観的に予測できることが必要となる。
【０００９】
光変調素子や光源の特性がどのように変化しているかを客観的に予測するための技術は
これまでにも幾つか提案されている（たとえば特許文献１参照）。特許文献１に開示され
た技術は、プロジェクタの稼働時間を計測・記録する手段を備え、稼動時間に応じて画像
信号変換を行うための情報を適宜更新するものである。
【００１０】
一方、ユーザ側で光変調素子の交換が可能であると仮定した場合、交換された光変調素
子を適正に動作させるに必要な固有の制御データを、ネットワークを介して取得可能とす
るといった技術も提案されている（たとえば特許文献２参照）。
【００１１】
【特許文献１】特開２００２−１４００６０号公報
【特許文献２】特開２００４−１０１６５２号公報
【発明の開示】
【発明が解決しようとする課題】
【００１２】
上述した特許文献１に開示された技術によれば、確かに、液晶ライトバルブの特性が変
化しても、プロジェクタの稼働時間に応じた画像信号変換を行うことにより、初期の色再
現性を保持することができると考えられる。
【００１３】
また、特許文献２に開示された技術は、交換された液晶ライトバルブに対する固有の制
御データをネットワークを介して取得可能とするものであり、これによれば、液晶ライト
バルブを交換した場合でも、新たに取り付けられた液晶ライトバルブに対応する固有の制
御データを取得できることから初期の色再現性を保持することができると考えられる。
【００１４】
一方、ユーザ側においては、プロジェクタを長期間使用した場合などにおいては、現時
点における液晶ライトバルブの交換の必要性の有無や、いつごろ光変調素子を交換すれば
よいかといったメンテナンスに関する情報（メンテナンス情報という）を知りたいという
要求もある。
【００１５】
このようなメンテナンス情報をユーザに提供することができれば、ユーザは提供された
メンテナンス情報の内容によっては、プロジェクタの修理をメーカ側に依頼するなど、メ
ンテナンス情報に応じた対応をとることができ、ユーザは安心してプロジェクタを使用す
ることができる。しかしながら、特許文献１及び特許文献２に開示された技術は、このよ
うなメンテナンス情報をユーザに提供するというものではない。
【００１６】
そこで本発明は、液晶ライトバルブのメンテナンス情報をユーザに提供することにより
画像表示装置のメンテナンスを適切に行うことのできる画像表示装置のメンテナンスシス
テムを提供することを目的とする。また、画像表示装置のメンテナンスシステムに用いら
れる画像表示装置、画像表示装置のメンテナンス情報取得プログラム、前記画像表示装置
のメンテナンスシステムに用いられる管理サーバ、管理サーバのメンテナンス情報生成プ
ログラムを提供することを目的とする。
【課題を解決するための手段】
【００１７】
（１）本発明の画像表示装置のメンテナンスシステムは、光源からの光を画像信号に応
じて変調する光変調素子を有する画像表示装置と、前記画像表示装置に対するメンテナン
ス情報を生成して、前記メンテナンス情報を前記画像表示装置に送信可能な管理サーバと
を有する画像表示装置のメンテナンスシステムであって、前記画像表示装置は、前記光変
調素子の特性変化の度合いを予測可能な光変調素子の負荷情報を取得する光変調素子の負
荷情報取得装置と、前記光変調素子の負荷情報の出力及び前記管理サーバからの前記メン
テナンス情報を入力可能な管理情報入出力制御部とを有し、前記管理サーバは、前記画像
表示装置で取得された光変調素子の負荷情報に基づいて前記光変調素子の特性変化の度合
いを判断し、その判断の結果に基づいて前記メンテナンス情報を生成するメンテナンス情
報生成部を有することを特徴とする。
【００１８】
このように本発明における画像表示装置のメンテナンスシステムによれば、画像表示装
置側においては、光変調素子の負荷情報を取得し、管理サーバにおいては、画像表示装置
で生成された光変調素子の負荷情報に基づいて光変調素子の特性変化の度合いを判断し、
その判断の結果に基づくメンテナンス情報を生成して、そのメンテナンス情報を画像表示
装置に送信するようにしている。なお、画像表示装置側ではメンテナンス情報を操作パネ
ル上の表示面や画像表示面などに表示することが可能である。これにより、画像表示装置
を使用するユーザは、表示されたメンテナンス情報により、メンテナンスの必要性などを
適切かつ容易に知ることができる。
【００１９】
また、本発明における画像表示装置のメンテナンスシステムでは、光変調素子の特性変
化の度合いの判断や、それに基づくメンテナンス情報の生成は管理サーバ側で行うので、
画像表示装置側の演算負担を軽くすることができる。
【００２０】
（２）前記（１）に記載の画像表示装置のメンテナンスシステムにおいては、前記画像
表示装置と前記管理サーバとはネットワークを介して接続されることが好ましい。
このように、画像表示装置と前記管理サーバとをネットワークにより接続したメンテナ
ンスシステムとすることにより、様々な場所に設置されている多数の画像表示装置に対す
るメンテナンスを容易に行うことができる。
【００２１】
（３）前記（１）または（２）に記載の画像表示装置のメンテナンスシステムにおいて
は、前記光変調素子は、複数の基本色に対応して複数個設けられ、前記光変調素子の負荷
情報は前記複数個の光変調素子それぞれに対して取得されるとともに、前記メンテナンス
情報は前記複数個の光変調素子それぞれに対して生成されることが好ましい。
【００２２】
これにより、たとえば、基本色としてＲＧＢを用いた場合、画像表示装置側では、ＲＧ
Ｂそれぞれの光変調素子の負荷情報が取得される。したがって、管理サーバ側では、ＲＧ
Ｂそれぞれの光変調素子に対するメンテナンス情報を生成して、画像表示装置に送信する
ことができるので、ユーザはＲＧＢそれぞれの光変調素子に対するメンテナンスの必要性
などを適切かつ容易に知ることができる。
【００２３】
（４）前記（１）〜（３）のいずれかに記載の画像表示装置のメンテナンスシステムに
おいては、前記メンテナンス情報は、前記光変調素子の交換の必要性を示す情報及び／又
は交換時期に関する情報であることが好ましい。
【００２４】
このように、メンテナンス情報が光変調素子の交換の必要性を示す情報であることによ
り、ユーザは現時点において光変調素子を交換する必要性が有るか否かを知ることができ
る。また、メンテナンス情報が光変調素子の交換時期に関する情報であることにより、た
とえば、液晶ライトバルブをいつごろ交換すればよいかを知ることができる。
【００２５】
（５）前記（４）に記載の画像表示装置のメンテナンスシステムにおいては、前記交換
時期に関する情報は、所定時間ごとに生成された過去の複数の前記光変調素子の負荷情報
に基づいて求められることが好ましい。
【００２６】
これは、過去の使用状況から単位期間当たりの特性変化の度合いを求めて、求められた
単位期間あたりの特性変化の度合いに基づいて、たとえば、前記液晶ライトバルブの残り
の使用可能時間を求めるものであり、このようにして求められた残りの使用可能時間を用
いることにより、当該画像表示装置の使用状況を反映した交換時期を予測することができ
る。
【００２７】
（６）前記（１）〜（５）のいずれかに記載の画像表示装置のメンテナンスシステムに
おいては、前記光変調素子の負荷情報は、前記光変調素子に加わる負荷に基づく負荷値を
積算した累積負荷値であることを特徴とする。
これにより、光変調素子の特性の変化の度合いを適切に表すパラメータを得ることがで
きる。
【００２８】
（７）前記（６）に記載の画像表示装置のメンテナンスシステムにおいては、前記光変
調素子に加わる負荷に基づく負荷値は、前記光変調素子に入射される光源の光の強度と前
記画像信号の階調に関する情報、前記光変調素子の温度に関する情報、画像表示装置の稼
動時間に関する情報の少なくとも１つに基づいて求められることが好ましい。
【００２９】
これらは、いずれも光変調素子の特性変化の度合いを予測可能な情報であり、これらの
うちの少なくとも１つの情報に基づく負荷値を積算して累積負荷値を求めることにより、
求められた累積負荷値は光変調素子の特性の変化の度合いを適切に表すものとなる。
特に、光源の光の強度と前記画像信号の階調情報に基づく負荷値を積算した累積負荷値
は、光の強度と画像（コンテンツ）に依存したものとなっているため、光変調素子に加わ
る負荷の状況をより適切に表すものとなる。
【００３０】
（８）前記（１）〜（７）のいずれかに記載の画像表示装置のメンテナンスシステムに
おいては、前記画像表示装置は、前記管理サーバに対して必要に応じて接続可能とするこ
とができる。
【００３１】
これは、たとえば、画像表示装置から管理サーバに対して光変調素子の負荷情報の送信
時及び管理サーバからのメンテナンス情報の受信時のみに画像表示装置を管理サーバに接
続するものであり、このように、必要に応じて画像表示装置を管理サーバに接続すること
によっても、前記（１）に記載の画像表示装置のメンテナンスシステムの機能を果たすこ
とが可能である。
【００３２】
（９）前記（１）〜（７）のいずれかに記載の画像表示装置のメンテナンスシステムに
おいては、前記画像表示装置は、前記管理サーバに対して常時接続状態とすることもでき
る。
【００３３】
このように、画像表示装置を管理サーバに常時、接続させた状態としておくことも可能
である。これによれば、その都度、画像表示装置を管理サーバに接続する操作を行うこと
なく、一定時間ごとに自動的に画像表示装置側で取得された累積負荷値を管理サーバに送
信することができ、また、管理サーバで生成されたメンテナンス情報を一定時間ごとに自
動的に受信することができる。
【００３４】
（１０）前記（１）〜（１０）のいずれかに記載の画像表示装置のメンテナンスシステ
ムにおいては、前記光変調素子は液晶を用いた光変調素子であることが好ましい。
このように、光変調素子が液晶を用いた光変調素子であることにより、本発明はより顕
著な効果を得ることができる。
【００３５】
（１１）本発明の画像表示装置は、光源からの光を画像信号に応じて変調する光変調素
子を有する画像表示装置と、前記画像表示装置に対するメンテナンス情報を生成して、前
記メンテナンス情報を前記画像表示装置に送信可能な管理サーバとを有する画像表示装置
のメンテナンスシステムに用いられる前記画像表示装置であって、前記光変調素子の特性
変化の度合いを予測可能な光変調素子の負荷情報を取得する光変調素子の負荷情報取得装
置と、前記光変調素子の負荷情報の出力及び前記管理サーバからの前記メンテナンス情報
を入力可能な管理情報入出力制御部とを有することを特徴とする。
【００３６】
画像表示装置をこのような構成とすることによって、光変調素子の特性変化の度合いを
予測可能な光変調素子の負荷情報を取得することができ、取得された光変調素子の負荷情
報を管理サーバ側に出力することができる。また、管理サーバで生成されたメンテナンス
情報を入力することができる。なお、画像表示装置側ではメンテナンス情報を操作パネル
上の表示面や画像表示面などに表示することが可能である。これにより、画像表示装置を
使用するユーザは、表示されたメンテナンス情報により、現時点におけるメンテナンスの
必要性などを適切かつ容易に知ることができる。
なお、（１１）の画像表示装置においても、（２）〜（１０）の画像表示装置のメンテ
ナンスシステムの特徴を有することが好ましい。
【００３７】
（１２）本発明の画像表示装置のメンテナンス情報取得プログラムは、光源からの光を
画像信号に応じて変調する光変調素子を有する画像表示装置と、前記画像表示装置に対す
るメンテナンス情報を生成して、前記メンテナンス情報を前記画像表示装置に送信可能な
管理サーバとを有する画像表示装置のメンテナンスシステムに用いられる前記画像表示装
置に、前記メンテナンス情報の取得を実行させる画像表示装置のメンテナンス情報取得プ
ログラムであって、前記光変調素子の特性変化の度合いを予測可能な光変調素子の負荷情
報を取得するステップと、前記光変調素子の負荷情報を前記管理サーバに出力するステッ
プと、前記管理サーバからの前記メンテナンス情報を入力するステップとを有することを
特徴とする。
【００３８】
このような画像表示装置のメンテナンス情報取得プログラムを前記画像表示装置で実行
させることにより、自身の取得した光変調素子の負荷情報に対するメンテナンス情報を管
理サーバから取得することができる。なお、（１２）の画像表示装置のメンテナンス情報
取得プログラムにおいても、（２）〜（１０）の画像表示装置のメンテナンスシステムの
特徴を有することが好ましい。
【００３９】
（１３）本発明の管理サーバは、光源からの光を画像信号に応じて変調する光変調素子
を有する画像表示装置と、前記画像表示装置に対するメンテナンス情報を生成して、前記
メンテナンス情報を前記画像表示装置に送信可能な管理サーバとを有する画像表示装置の
メンテナンスシステムに用いられる前記管理サーバであって、前記画像表示装置で取得さ
れた光変調素子の負荷情報に基づいて前記光変調素子の特性変化の度合いを判断し、その
判断の結果に基づいて前記メンテナンス情報を生成するメンテナンス情報生成部を有する
ことを特徴とする。
【００４０】
管理サーバをこのような構成とすることによって、光変調素子の特性変化に応じたメン
テナンス情報を生成することができる。また、光変調素子の特性変化の度合いの判断や、
それに基づくメンテナンス情報の生成は管理サーバ側で行うので、画像表示装置側の演算
負担を軽くすることができる。
なお、（１２）に記載の管理サーバにおいても、（２）〜（１０）の画像表示装置のメ
ンテナンスシステムの特徴を有することが好ましい。
【００４１】
（１４）本発明の管理サーバのメンテナンス情報生成プログラムは、光源からの光を画
像信号に応じて変調する光変調素子を有する画像表示装置と、前記画像表示装置に対する
メンテナンス情報を生成して、前記メンテナンス情報を前記画像表示装置に送信可能な管
理サーバとを有する画像表示装置のメンテナンスシステムに用いられる前記管理サーバに
、前記メンテナンス情報の生成を実行させる管理サーバのメンテナンス情報生成プログラ
ムであって、前記画像表示装置で取得された光変調素子の負荷情報に基づいて前記光変調
素子の特性変化の度合いを判断するステップと、その判断の結果に基づいて前記メンテナ
ンス情報を生成するステップとを有することを特徴とする。
【００４２】
このような管理サーバのメンテナンス情報生成プログラムを前記管理サーバで実行させ
ることにより、該当する画像表示装置に対する適切なメンテナンス情報を生成することが
できる。なお、（１４）の管理サーバのメンテナンス情報生成プログラムにおいても、（
２）〜（１０）の画像表示装置のメンテナンスシステムの特徴を有することが好ましい。
【発明を実施するための最良の形態】
【００４３】
以下、本発明の実施形態について説明する。
【００４４】
[実施形態１]
図１は実施形態１に係る画像表示装置のメンテナンスシステムの構成を概略的に示す図
である。図１に示すように、実施形態１に係る画像表示装置のメンテナンスシステムは、
ネットワークＮＷと、ネットワークＮＷに接続可能な少なくとも１台の画像表示装置（実
施形態では複数のプロジェクタＰＪ１，ＰＪ２，・・・とする）と、ネットワークＮＷに
接続された管理サーバＳＶとを有している。
【００４５】
また、ネットワークＮＷはインターネットであってもよく、また、イントラネットであ
ってもよい。なお、プロジェクタＰＪ１，ＰＪ２，・・・は、光変調素子としての液晶表
示素子（液晶ライトバルブという）がＲＧＢのそれぞれに対応して設けられた液晶３板式
のプロジェクタであるとする。
【００４６】
ところで、本発明は液晶ライトバルブの特性変化を予測可能な光変調素子の負荷情報（
この具体例については後述する）を利用することによって、プロジェクタＰＪ１，ＰＪ２
，・・・のメンテナンスを適切に行うものである。したがって、本発明を実現するには光
変調素子の負荷情報を適切に取得することが必要となる。
【００４７】
なお、本発明において用いられる光変調素子の負荷情報としては種々の情報を用いるこ
とができるが、本発明の各実施形態では、光源の光の強度と表示すべき画像に対応する画
像信号の階調情報とに基づいて求められた負荷値を積算して得られた累積負荷値を光変調
素子の負荷情報として用いることとする。まず、本発明の各実施形態において用いられる
光変調素子の負荷情報について説明する。
【００４８】
図２は図１で示したプロジェクタの構成を概略的に示す図である。なお、図２ではプロ
ジェクタＰＪ１について示されているが、他のプロジェクタＰＪ２，ＰＪ３，・・・も同
様の構成要素を有しているものとする。
【００４９】
図２に示すように、プロジェクタＰＪ１は画像表示制御部１及び光学系２を有している
。画像表示制御部１は、画像信号入力部１１、光変調素子の負荷情報取得装置１２、画像
信号変換部１３、出力信号処理部１４、光変調素子駆動部１５、制御部１６、補正パラメ
ータ記憶部１７、光源駆動部１８、管理情報入出力制御部１９などを有している。
【００５０】
光変調素子の負荷情報取得装置１２は、画像信号解析部１２１、負荷値演算部１２２、
累積負荷値記憶部１２３を有している。
【００５１】
画像信号解析部１２１は、入力された画像信号を画像信号変換部１３に与えるとともに
入力された画像信号を解析し、その解析結果を負荷値演算部１２２に与える機能を有して
いる。
【００５２】
負荷値演算部１２２は、画像信号解析部１２１から与えられた解析結果に基づいて、光
変調素子の特性を変化させる要因ともなる負荷に基づく負荷値を計算し、計算された負荷
値を積算して累積負荷値として累積負荷値記憶部１２３に記憶させる機能を有する。この
光変調素子の負荷情報取得装置１２の具体的な動作については後述する。
【００５３】
画像信号入力部１１は、表示すべき画像に対応する画像信号を入力してＡ／Ｄ変換など
を行う機能を有するもので、Ａ／Ｄ変換などの施された画像信号は、画像信号解析部１２
１に与えられるとともに画像信号解析部１２１を介して画像信号変換部１３に与えられる
。
【００５４】
画像信号変換部１３は、制御部１６によって補正パラメータ記憶部１７から読み出され
た補正パラメータに基づいて、画像信号入力部１１からの画像信号を光変調素子としての
液晶ライトバルブ２３Ｒ，２３Ｇ，２３Ｂ（図３参照）に与えるべき適切な画像信号とし
て変換する機能を有している。
【００５５】
出力信号処理部１４は、画像信号変換部１３で変換された画像信号をＤ／Ａ変換して光
変調素子駆動部１５に与える機能を有する。光変調素子駆動部１５は、出力信号処理部１
４でＤ／Ａ変換された画像信号に基づいて液晶ライトバルブ２３Ｒ，２３Ｇ，２３Ｂを駆
動する機能を有する。
【００５６】
制御部１６は、その時点で求められた累積負荷値に対応した補正パラメータを補正パラ
メータ記憶部１７から取得して画像信号変換部１３に与える機能、現在のプロジェクタの
カラーモード（プレゼンテンションモード、シアターモードなど）を取得して、取得した
カラーモードに対応する光源制御信号を光源駆動部１８に与える機能、現在のプロジェク
タのカラーモードを示す情報を負荷値演算部１２２に与える機能など有している。
光源駆動部１８は、光源２１（図３参照）に対して点灯・消灯制御及び明るさの制御を
行うための光源制御信号を与える機能を有する。
【００５７】
管理情報入出力制御部１９は、自身（プロジェクタＰＪ１）の識別情報やステータス情
報（これらの情報については後述する）を出力可能であるとともに管理サーバＳＶからの
メンテナンス情報（後述する）を入力可能とするものである。
【００５８】
なお、管理情報入出力制御部１９から出力される識別情報やステータス情報は、図１に
示したように、プロジェクタＰＪ１がネットワークＮＷに接続可能である場合にはネット
ワークＮＷに直接出力することができるが、プロジェクタＰＪ１が図示しないパーソナル
コンピュータ（ＰＣという）などを介してネットワークＮＷに接続される場合には、ＰＣ
に出力されたのち、ＰＣからネットワークＮＷに出力するようにしてもよい。
【００５９】
また、管理情報入出力制御部１９に入力されたメンテナンス情報も同様に、プロジェク
タＰＪ１が直接、ネットワークＮＷに接続可能である場合にはネットワークＮＷから管理
情報入出力部１９に入力されるが、プロジェクタＰＪ１がＰＣなどを介してネットワーク
に接続される場合には、ＰＣを介して管理情報入出力制御部１９に入力するようにしても
よい。
【００６０】
そして、管理情報入出力制御部１９に入力されたメンテナンス情報は、プロジェクタＰ
Ｊ１の操作パネル上の表示面（図示せず）などに表示するようにしてもよく、また、スク
リーン（図示せず）に表示するようにしてもよい。また、音声によって出力することも可
能である。
【００６１】
図３は光学系２の構成を概略的に示す図である。光学系２は、概略的には、光源２１と
、光源２１からの光をＲＧＢの３つの色光に分離する色分離光学系２２と、色分離光学系
２２で分離された３つの色光のそれぞれを画像信号に応じて変調する３つの液晶ライトバ
ルブ２３Ｒ，２３Ｇ，２３Ｂと、これら３つの液晶ライトバルブ２３Ｒ，２３Ｇ，２３Ｂ
によって変調された色光を合成するクロスダイクロイックプリズム２４と、クロスダイク
ロイックプリズム２４によって合成された光をスクリーン（図示せず）に投写する投写光
学系２５とを有している。なお、色分離光学系２２は、ダイクロイックミラー２２１，２
２２、反射ミラー２２３，２２４，２２５，２２６，２２７、リレーレンズ２２８，２２
９、フィールドレンズ２３０Ｒ、２３０Ｇ，２３０Ｂを有している。
【００６２】
図４は光変調素子の負荷情報取得装置１２が行う光変調素子の負荷情報取得手順を示す
フローチャートである。また、図５は図４のフローチャートを説明するための図である。
図４及び図５を参照しながら光変調素子の負荷情報取得手順について説明する。
【００６３】
まず、画像信号解析部１２１によって、画像信号の階調情報を得る。この画像信号の階
調情報は、各フレームごとにＲＧＢそれぞれの輝度のヒストグラムを計算（図４のステッ
プＳ１）することによって得られる。図５（ａ）はＲＧＢのある１つの色における１フレ
ーム分の輝度のヒストグラムの一例を示す図である。なお、図５（ａ）では輝度の大きさ
を８つの段階に分けた例が示されており、８段階の各輝度に対する度数（画素数）が示さ
れている。
【００６４】
この図５（ａ）に示すような輝度のヒストグラムを求める処理は、たとえば、適応調光
を行う機能を有したプロジェクタでは一般的に行われている処理であるので、適応調光を
行う機能を有しているプロジェクタであれば、図５（ａ）のような輝度のヒストグラムを
得ることは容易である。
【００６５】
次に、負荷値演算部１２２によって、各輝度に対する度数ごとに液晶ライトバルブへの
負荷の重み（図５（ｂ）参照）を掛け算する（図４のステップＳ２）。図５（ｂ）は輝度
の大きさに対する負荷の重みの関係の一例を示すもので、輝度が大きいと重みが相対的に
小さくなるような曲線となっている。
【００６６】
このように、輝度が大きいと重みを相対的に小さくするのは、液晶ライトバルブが全閉
（黒表示）の場合と全開（白表示）の場合とで、結果的に液晶ライトバルブで熱に変換さ
れるエネルギ量が異なってくるためである。すなわち、輝度が小さいということは光の透
過の度合いが小さく、液晶ライトバルブで熱に変換されるエネルギが大きくなり、逆に、
輝度が大きいと光の透過の度合いが大きく、液晶ライトバルブで熱に変換されるエネルギ
が小さくなるからである。
【００６７】
このような輝度の大きさから負荷の重みを取得可能なテーブルを用意しておくことで、
輝度に対する重みを容易に取得できる。そして、取得した重みを図５（ａ）に示した各度
数に掛け算することによって図５（ｃ）に示すような重み付け後の輝度のヒストグラムを
得る（図４のステップＳ３）。
【００６８】
そして、図５（ｃ）に示す重み付け後の輝度のヒストグラムにおいて、度数の総和（重
み付け後の度数の総和）を計算し（図５（ｄ）参照）、その計算結果を第１の負荷値とす
る（図４のステップＳ４）。
【００６９】
次に、求められた第１の負荷値に、光源の光の強度に対応する重みとして、その時点の
カラーモードに対応した重み（図５（ｅ）参照）を掛け算して第２の負荷値とする（図４
のステップＳ５）。このカラーモードに対応した重みというのは、当該プロジェクタにお
いて設定可能な個々のカラーモードに対応した重みであり、たとえば、図５（ｅ）に示す
ように、「ダイナミック」、「プレゼンテーション」、「リビング」、「シアター」、「
ｓＲＧＢ」というようなカラーモードの設定が可能であるとした場合、それぞれのカラー
モードごとに重みｗ１，ｗ２，・・・が与えられている。
【００７０】
なお、ここで挙げた「ダイナミック」、「プレゼンテーション」というような各カラー
モードは便宜的に名付けた呼び名であり、たとえば、「プレゼンテーション」のカラーモ
ードは、色再現性よりも明るさを重視したカラーモードであり、「シアター」は色再現性
をより重視したカラーモードであることを示している。
【００７１】
このように、カラーモードごとに重みを設定するのは、同じ画像信号であってもカラー
モードによって液晶ライトバルブに入射する光の強度が異なり、液晶ライトバルブに加わ
る負荷の大きさが異なる場合があるからであり、液晶ライトバルブに加わる負荷の大きい
カラーモードに対しては相対的に大きな重みを設定する。
【００７２】
このカラーモードに対する重みを取得して、取得した重みを第１の負荷値に掛け算して
第２の負荷値とし、この第２の負荷値を積算して累積負荷値を求める（図４のステップＳ
６）。すなわち、第２の負荷値は、図２で示した累積負荷値記憶部１２３に記憶されてい
るそれまでの累積負荷値（それまでのフレームにおいて、各フレームごとに計算された第
２の負荷値が積算された累積負荷値）に加算される。図５（ｆ）は累積負荷値記憶部１２
３に記憶されるＲ，Ｇ，Ｂの各色それぞれに対する累積負荷値を示す図である。図５（ｆ
）における「×××」はＲ，Ｇ，Ｂ各色に対する累積負荷値を示している。
【００７３】
ところで、プロジェクタの寿命を仮に１万時間とすると、当該プロジェクタにおける表
示フレーム総数は、フレームレートが３０フレーム／秒であれば、
１００００（時間）×３６００（秒）×３０（フレーム）＝１，０８０，０００，００
０（フレーム）となる。これは、３２ビット＝４，２９４，９６７，２９６で表現できる
数値である。したがって、各フレームごとの負荷値（第２の負荷値）を表現するためにた
とえば１６ビットを用いるとすれば、累積負荷値を表現するには、ＲＧＢの各液晶ライト
バルブ当り高々４８ビット（６バイト）あれば十分である。
【００７４】
以上説明したように、ＲＧＢの各液晶ライトバルブに加わる負荷の大きさを、表示する
画像（コンテンツ）に依存し、かつ、光源の光の強度（たとえばプロジェクタのカラーモ
ードなど）に依存した負荷値（第２の負荷値）として求め、求められた負荷値（第２の負
荷値）を積算して累積負荷値として累積負荷値記憶部１２３に記憶するようにしている。
【００７５】
これにより、累積負荷値記憶部１２３に記憶されているＲＧＢの各液晶ライトバルブ２
３Ｒ，２３Ｇ，２３Ｂごとの累積負荷値によって、ＲＧＢの各液晶ライトバルブ２３Ｒ，
２３Ｇ，２３Ｂごとに当該液晶ライトバルブにどの程度の負荷が加わっているかを知るこ
とができる。この累積負荷値は、上述したように、表示する画像（コンテンツ）や光源の
光の強度に依存したものとなっている。
【００７６】
このため、累積負荷値は従来の使用時間だけの場合に比べると、液晶ライトバルブに加
わる負荷の状況をより適切に表すものとなり、光変調素子の特性変化の度合いを適切に予
測する情報となる。したがって、累積負荷値記憶部１２３に記憶された累積負荷値を光変
調素子の負荷情報として利用することによって、光変調素子のメンテナンスを適切に行う
ことができる。
【００７７】
次に、図１で示した実施形態１に係る画像表示装置のメンテナンスシステムについて説
明する。
【００７８】
図６は図１に示した管理サーバＳＶの構成を概略的に示す図である。図６に示すように
、管理サーバＳＶは、各プロジェクタＰＪ１，ＰＪ２，・・・からネットワークＮＷを介
して送られてくる識別情報やステータス情報を受信可能であるとともに各プロジェクタＰ
Ｊ１，ＰＪ２，・・・にメンテナンス情報を送信可能な管理情報送受信部３１、各プロジ
ェクタＰＪ１，ＰＪ２，・・・の認証情報を保存する認証情報データベースＤＢ１、各プ
ロジェクタＰＪ１，ＰＪ２，・・・に関する機器情報を保存する機器情報データベースＤ
Ｂ２、各プロジェクタＰＪ１，ＰＪ２，・・・に対する光変調素子の負荷情報を保存する
負荷情報データベースＤＢ３、これらの各データベースＤＢ１，ＤＢ２，ＤＢ３の書き込
み／読み出し及びこれら各データベースＤＢ１，ＤＢ２，ＤＢ３に保存されている情報に
基づいてメンテナンス情報の生成など各種制御を行うメンテナンス情報生成部３２を有し
ている。
【００７９】
図７は管理サーバＳＶの認証情報データベースＤＢ１、機器情報データベースＤＢ２、
負荷情報データベースＤＢ３に保存される認証情報、機器情報、管理情報を示す図である
。
【００８０】
図７（ａ）は認証情報データベースＤＢ１に保存されている認証情報を示すもので、Ｉ
Ｐアドレス、識別ＩＤ、ユーザ情報、プロジェクタ型番などを有している。ユーザ情報は
、パスワード、サービス情報（メンテナンスのレベル、メンテナンスの終了日時など）、
ユーザ名、設置場所などに関する情報である。なお、メンテナンスのレベルはユーザが受
けることのできるメンテナンスサービスの度合いを表すもので、たとえば、「レベル１」
、「レベル２]、「レベル３」というように複数段階のレベルを設定可能としている。
【００８１】
具体的なメンテナンスサービスの内容としては、たとえば、「レベル１」であれば液晶
ライトバルブの交換時期に関する情報のみを提示、「レベル２」であれば自動で対応部品
の発注、「レベル３」であればメンテナンス要員の派遣といった内容である。なお、交換
時期に関する情報としては、たとえば、ＲＧＢの各液晶ライトバルブ２３Ｒ，２３Ｇ，２
３Ｂの残りの使用可能時間や交換時期を示す情報などが考えられる。このようなメンテナ
ンスのレベルは、ユーザが管理サーバＳＶに対して予め設定しておくことができる。
【００８２】
図７（ｂ）は機器情報データベースＤＢ２に保存されている機器情報を示すもので、プ
ロジェクタ型番、部品型番、液晶ライトバルブの耐用情報などを有してる。部品型番は、
たとえば、ＲＧＢの各液晶ライトバルブ２３Ｒ，２３Ｇ，２３Ｂの部品情報などである。
また、液晶ライトバルブの耐用情報は、ＲＧＢの各液晶ライトバルブ２３Ｒ，２３Ｇ，２
３Ｂがどの程度の累積負荷値まで許容されるかを示す情報であり、Ｒの液晶ライトバルブ
２３Ｒの耐用情報をＲｘ、Ｇの液晶ライトバルブ２３Ｇの耐用情報をＧｘ、Ｂの液晶ライ
トバルブ２３Ｂの耐用情報をＢｘと表す。
【００８３】
図７（ｃ）は負荷情報データベースＤＢ３に保存されている負荷情報を示すもので、更
新日時とその時点における累積負荷値を有している。この累積負荷値はＲＧＢの各液晶ラ
イトバルブ２３Ｒ，２３Ｇ，２３Ｂに対する累積負荷値であり、Ｒの液晶ライトバルブ２
３Ｒに対する累積負荷値をＲ累積負荷値、Ｇの液晶ライトバルブ２３Ｇに対する累積負荷
値をＧ累積負荷値、Ｂの液晶ライトバルブ２３Ｂに対する累積負荷値をＢ累積負荷値と表
記する。
【００８４】
なお、負荷情報としては、ＲＧＢの各液晶ライトバルブ２３Ｒ，２３Ｇ，２３Ｂに対す
る累積負荷値を更新した最新日時及びその最新日時の累積負荷値だけではなく、過去の情
報（使用履歴）として、過去の更新日時とその時点における累積負荷値も保存しておく。
このような過去の使用履歴は液晶ライトバルブの残りの使用可能時間を計算する際に利用
することができる。
【００８５】
図８は実施形態１に係る画像表示装置のメンテナンスシステムの全体的な処理の流れを
示す図である。図８（ａ）はプロジェクタＰＪ１，ＰＪ２，・・・がメンテナンス情報の
取得を行う際の処理の流れ、図８（ｂ）は管理サーバＳＶがメンテナンス情報の生成を行
う際の処理の流れを示すものである。
【００８６】
プロジェクタＰＪ１，ＰＪ２，・・・側における処理は、図８（ａ）に示すように、ま
ず、プロジェクタがネットワークＮＷに接続される（ステップＳ１１）。そして、ＩＰア
ドレス、識別ＩＤなどを管理サーバＳＶに識別情報として送信する（ステップＳ１２）。
次に、その時点における各液晶ライトバルブの累積負荷値をステータス情報として管理サ
ーバＳＶに送る（ステップＳ１３）。なお、このとき、ステータス情報としては累積負荷
値の他に識別情報（ＩＰアドレス、識別ＩＤなど）も同時に送られる（図９参照）。
【００８７】
一方、管理サーバＳＶは、図８（ｂ）に示すように、プロジェクタから送られてきた識
別情報（ＩＰアドレス、識別ＩＤなど）を基に機器情報データベースＤＢ２を参照して、
処理対象とするプロジェクタ（該当プロジェクタという）がどのプロジェクタであるかを
判別する（ステップＳ２１）。このとき、該当プロジェクタの液晶ライトバルブに関する
耐用情報（ＲＧＢの各液晶ライトバルブがどの程度の累積負荷値まで許容されるかを示す
情報など）を取得する。
【００８８】
続いて、管理サーバＳＶは、該当プロジェクタから送られてきた識別情報を基に負荷情
報データベースＤＢ３を参照して、該当プロジェクタに関する情報（該当プロジェクタの
それまでに保存されている累積負荷値など）を取得する（ステップＳ２２）。
【００８９】
そして、該当プロジェクタから送られてきたその時点の累積負荷値とステップＳ２２に
おいて取得された累積負荷値とを比較する（ステップＳ２３）。この比較結果により、該
当プロジェクタにおけるＲＧＢの各液晶ライトバルブの特性変化の度合いを判断し、ＲＧ
Ｂの各液晶ライトバルブのメンテナンス情報を生成する（ステップＳ２４）。なお、生成
されるメンテナンス情報としては、たとえば、交換の必要性の有無の判断を示す情報及び
／又は交換時期に関する情報であり、交換時期に関する情報は、ＲＧＢの各液晶ライトバ
ルブそれぞれの残りの使用可能時間であってもよく、残りの使用時間から求められる各液
晶ライトバルブの交換時期を示す情報であってもよい。
【００９０】
そして、その後、該当プロジェクタに対しステップＳ２４で生成されたメンテナンス情
報を送信するとともに、ユーザの設定したメンテナンスのレベルに応じて、交換すべき液
晶ライトバルブの発注処理、メンテナンス要員の派遣手続きなどを行う（ステップＳ２５
，Ｓ２６）。
【００９１】
なお、管理サーバＳＶ側から該当プロジェクタに対してメンテナンス情報が送信される
と、そのメンテナンス情報を受け取ったプロジェクタは、操作パネル上の表示面やスクリ
ーンなどにメンテナンス情報を表示する（ステップＳ１４）。
【００９２】
図９はプロジェクタＰＪ１，ＰＪ２，・・・が管理サーバＳＶに送信する識別情報及び
ステータス情報のデータ構成の一例を示す図である。識別情報は、図９（ａ）に示すよう
に、ＩＰアドレス、識別ＩＤからなり、その他、必要に応じてパスワードを付加すること
も可能である。ＩＰアドレスはプロジェクタＰＪ１，ＰＪ２，・・・の設置場所やそのプ
ロジェクタを使用するユーザを把握するための情報として用いられる。また、識別ＩＤや
パスワードは認証情報として用いられる。
【００９３】
識別情報を図９（ａ）に示すようなデータ構成とすることにより、本発明における画像
表示装置のメンテナンスシステムがたとえば有料のメンテナンスサービスシステムとして
機能するような場合、ＩＰアドレスによって、プロジェクタの利用場所の制限・許可が可
能となり、識別ＩＤやパスワードによって、利用可能なプロジェクタの制限・許可が可能
となる。
【００９４】
一方、ステータス情報は、図９（ｂ）に示すように、識別情報（ＩＰアドレス、識別Ｉ
Ｄなど）とＲＧＢの各液晶ライトバルブの累積負荷値とからなる。
【００９５】
なお、ステータス情報としてのＩＰアドレスは、管理サーバＳＶ側から該当プロジェク
タに対してメンテナンス情報を送信する際の宛先として利用されるものである。また、ス
テータス情報としての識別ＩＤは、管理サーバＳＶが機器情報データベースＤＢ２から該
当プロジェクタの機器情報を取得する際のキーとして利用される。また、累積負荷値は、
ＲＧＢの各液晶ライトバルブ２３Ｒ，２３Ｇ，２３Ｂに対する累積負荷値（Ｒ累積負荷値
、Ｇ累積負荷値、Ｂ累積負荷値）である。
【００９６】
図１０は実施形態１に係る画像表示装置のメンテナンスシステムにおけるプロジェクタ
ＰＪ１，ＰＪ２，・・・がメンテナンス情報の取得を行う際の処理の流れをより詳細に示
すフローチャートである。なお、図１０は必要時にのみ管理サーバと接続する場合のプロ
ジェクタの処理の流れを示すもので、図１０（ａ）はプロジェクタの電源をＯＮしたとき
の処理の流れ、図１０（ｂ）はプロジェクタの電源をＯＦＦしたときの処理の流れをそれ
ぞれ示している。
【００９７】
図１０（ａ）において、管理サーバＳＶに接続可能であれば（ステップＳ３１）、識別
情報（ＩＰアドレス、識別ＩＤなど）を管理サーバＳＶに認証情報として送信する（ステ
ップＳ３２）。送信した識別情報が管理サーバＳＶで認証されれば（ステップＳ３３）、
ＲＧＢの各液晶ライトバルブのステータス情報（識別情報、累積負荷値など）を管理サー
バＳＶに送信する（ステップＳ３４）。そして、管理サーバＳＶからのメンテナンス情報
を受信し(ステップＳ３５)、受信したメンテナンス情報を表示面（操作パネルやスクリー
ン）などに表示する（ステップＳ３６）。
【００９８】
なお、ステップＳ３１において、管理サーバＳＶに接続できない場合には、再接続を試
みるか、管理サーバＳＶへの接続をあきらめて投写を開始する。また、ステップＳ３３に
おいて、認証されなかった場合は、再認証を行うか管理サーバＳＶのメンテナンスサービ
スを受けるのをあきらめて投写開始を行う。
【００９９】
また、電源をＯＦＦしたときの処理（図１０（ｂ）参照）も図１０（ａ）とほぼ同様で
あり、ステップＳ４１〜Ｓ４６は図１０（ａ）のステップＳ３１〜Ｓ３６と同様の処理で
ある。ただし、ステップＳ４１において、管理サーバに接続できない場合には、再接続を
試みるか、管理サーバＳＶへの接続をあきらめてそのまま終了する。また、ステップＳ４
３において、認証されなかった場合は、再認証を行うかそのまま終了する。
【０１００】
図１１は実施形態１に係る画像表示装置のメンテナンスシステムにおける管理サーバＳ
Ｖがメンテナンス情報の生成を行う際の処理の流れをより詳細に示すフローチャートであ
る。図１１において、プロジェクタからの識別情報（図９（ａ）参照）を受信し（ステッ
プＳ５１）、受信した識別情報のうちの識別ＩＤや必要に応じてパスワードなどから認証
処理を開始する（ステップＳ５２）。その結果、認証可能であれば（ステップＳ５３）、
認証情報データベースＤＢ１からプロジェクタ型番、メンテナンスのレベルを取得し（ス
テップＳ５４）、機器情報データベースＤＢ２から該当する型番のプロジェクタ（該当プ
ロジェクタという）を判別し、その該当プロジェクタにおけるＲＧＢの各液晶ライトバル
ブの耐用情報を取得する（ステップＳ５５）。
【０１０１】
次に、該当プロジェクタからその時点における累積負荷値を受信し（ステップＳ５６）
、負荷情報データベースＤＢ３に保存されている該当識別ＩＤに対応する最新の累積負荷
値を取得する（ステップＳ５７）。なお、このとき、現在時刻も取得する。
【０１０２】
そして、該当プロジェクタから受信した累積負荷値と負荷情報データベースＤＢ３から
取得した累積負荷値（ステップＳ５７において取得した累積負荷値）とを比較する（ステ
ップＳ５８）。その比較結果からＲＧＢの各液晶ライトバルブの特性変化の度合いを判断
し、その判断結果に基づいて、ＲＧＢの各液晶ライトバルブのメンテナンス情報を生成す
る（ステップＳ５９）。
【０１０３】
なお、メンテナンス情報は、前述したように、交換の必要性の有無の判断を示す情報及
び／又は交換時期に関する情報としている。したがって、ステップＳ５９においては、液
晶ライトバルブの交換の必要性の有無の判断を示す情報をメンテナンス情報として生成す
るようにしてもよく、また、液晶ライトバルブの交換時期に関する情報をメンテナンス情
報として生成してもよく、また、その両方の情報をメンテナンス情報として生成するよう
にしてもよい。ただし、ここでは、液晶ライトバルブの交換の必要性の有無の判断を示す
情報と、交換時期に関する情報の両方を生成するものとする。
【０１０４】
そして、ステップＳ５９の処理により得られたメンテナンス情報を該当プロジェクタに
送信し(ステップＳ６０)、負荷情報データベースＤＢ３における該当識別ＩＤのプロジェ
クタに対応する更新日時、累積負荷値を更新する（ステップＳ６１）。そして、ユーザの
設定したメンテナンスのレベル（認証情報データベースＤＢ１に設定されたメンテナンス
のレベル）に応じた処理を行う。
【０１０５】
なお、ステップＳ６０による処理、すなわち、管理サーバＳＶからプロジェクタに対す
るメンテナンス情報の送信がなされると、該当プロジェクタでは操作パネル上の表示面や
スクリーンなどに管理サーバＳＶから送られてきたメンテナンス情報を表示する。
【０１０６】
図１２はメンテナンス情報としての液晶ライトバルブの交換の必要性の有無を判断する
情報を生成する処理について説明する図である。図１２（ａ）は機器情報データベースＤ
Ｂ２に保存されたＲＧＢの各液晶ライトバルブ２３Ｒ，２３Ｇ，２３Ｂの耐用情報（どの
程度の累積負荷値までが許容されるかを示す情報）を示す図である。図１２（ａ）におけ
る、ＲｘはＲの液晶ライトバルブ２３Ｒの耐用情報、ＧｘはＧの液晶ライトバルブ２３Ｇ
の耐用情報、ＢｘはＢの液晶ライトバルブ２３Ｂの耐用情報であり、それぞれ、累積負荷
値がＲｘ，Ｇｘ、Ｂｘまでは許容されることを示している。
【０１０７】
図１２（ｂ）はプロジェクタＰＪ１，ＰＪ２，・・・から送られてくるステータス情報
のうちの液晶ライトバルブの累積負荷値を示すもので、この累積負荷値はＲＧＢの各液晶
ライトバルブ２３Ｒ，２３Ｇ，２３Ｂの最新の累積負荷値である。なお、ＲｙはＲの液晶
ライトバルブ２３Ｒの最新の累積負荷値、ＧｙはＧの液晶ライトバルブ２３Ｇの最新の累
積負荷値、ＢｙはＢの液晶ライトバルブ２３Ｂの最新の累積負荷値を示している。
【０１０８】
ここで、ＲＧＢの各液晶ライトバルブ２３Ｒ，２３Ｇ，２３Ｂの耐用情報Ｒｘ，Ｇｘ，
Ｂｘからプロジェクタより取得した最新の累積負荷値Ｒｙ，Ｇｙ，Ｂｙを減算する。そし
て、それぞれのしきい値をＺｒ，Ｚｇ，Ｚｂとしたとき、
Ｒｘ−Ｒｙ＜Ｚｒ
Ｇｘ−Ｇｙ＜Ｚｇ
Ｂｘ−Ｂｙ＜Ｚｂ
であれば、その液晶ライトバルブの特性変化の度合いは大きく、その液晶ライトバルブは
交換の必要が有ると判断する。
【０１０９】
図１３はメンテナンス情報としての液晶ライトバルブの交換時期に関する情報（液晶ラ
イトバルブの残りの使用可能時間）を生成する処理を説明する図である。図１３（ａ）は
負荷情報データベースＤＢ３に保存されている過去の情報（使用履歴）、図１３（ｂ）は
図１２（ｂ）と同様、プロジェクタのステータス情報のうちの各液晶ライトバルブの累積
負荷値を示すものであり、ＲＧＢの各液晶ライトバルブ２３Ｒ，２３Ｇ，２３Ｂの最新の
累積負荷値である。なお、図１３（ａ）におけるＴ１，Ｔ２，Ｔ３，・・・は、過去の更
新日時（更新時刻）であり、図１３（ｂ）におけるＴｙは現在の時刻（Ｔｙとする）であ
る。
【０１１０】
ここでは、Ｒの液晶ライトバルブ２３Ｒの残りの使用可能時間を求める例について説明
する。なお、Ｔ１，Ｔ２，Ｔ３，・・・は、数値が大きくなるほど過去に遡る時刻である
とする。
【０１１１】
まず、過去の情報（使用履歴）から単位時間でどのくらいＲの液晶ライトバルブの特性
が変化しているかを示す単位時間当たりの特性変化の度合いＤｒ１，Ｄｒ２，Ｄｒ３を計
算する。ここでは、説明の簡単化のため、過去の情報（使用履歴）は３回分のみを用いた
例が示されている。単位時間当たりの特性変化の度合いＤｒ１，Ｄｒ２，Ｄｒ３は、
Ｄｒ１＝（Ｒｙ−Ｒ１）／（Ｔｙ―Ｔ１）
Ｄｒ２＝（Ｒ１−Ｒ２）／（Ｔ１―Ｔ２）
Ｄｒ３＝（Ｒ２−Ｒ３）／（Ｔ２―Ｔ３）
と求めることができる。
【０１１２】
次に、上述のように得られた単位時間当たりの特性変化の度合いＤｒ１，Ｄｒ２，Ｄｒ
３により単位時間当たりの特性変化の度合いの平均値Ｄｒｍを求める。単位時間当たりの
特性変化の度合いの平均値Ｄｒｍは、
Ｄｒｍ＝（Ｄｒ１＋Ｄｒ２＋Ｄｒ３）／３
と求めることができる。
【０１１３】
そして、機器情報データベースＤＢ２からＲの液晶ライトバルブ２３Ｒの耐用情報Ｒｘ
を取得して、現在の（最新の）Ｒの液晶ライトバルブ２３Ｒの累積負荷値Ｒｙで減算し、
それを平均値Ｄｒｍで除算する。すなわち、
（Ｒｘ−Ｒｙ）／Ｄｒｍ＝Ｔｒ
を行い、求められたＴｒを当該液晶ライトバルブ（Ｒの液晶ライトバルブ）の残りの使用
可能時間とする。上述はＲの液晶ライトバルブ２３Ｒについての処理であったが、これを
Ｇ，Ｂの各液晶ライトバルブ２３Ｇ，２３Ｂについても行う。
【０１１４】
以上、図１２の説明によって得られた液晶ライトバルブの交換の必要性の有無の判断を
示す情報及び図１３の説明で得られた液晶ライトバルブの交換時期に関する情報（液晶ラ
イトバルブの残りの使用可能時間）は、メンテナンス情報として該当プロジェクタに送信
する。そして、そのメンテナンス情報を受け取ったプロジェクタは、操作パネルやスクリ
ーンでメンテナンス情報を表示する。
【０１１５】
これにより、ユーザは自分の使用するプロジェクタのＲＧＢの各液晶ライトバルブ２３
Ｒ，２３Ｇ，２３Ｂそれぞれについて、現時点において交換の必要性があるか否かという
ことや、ＲＧＢの各液晶ライトバルブ２３Ｒ，２３Ｇ，２３Ｂのそれぞれの残りの使用可
能時間を知ることができる。
【０１１６】
なお、残りの使用可能時間により、当該ユーザの使用状況に応じた液晶ライトバルブの
交換時期を予測することができる。この交換時期の予測はユーザが自分で行うこともでき
るが、管理サーバＳＶ側で当該ユーザの過去の使用状況から判断して、おおよその交換時
期として当該ユーザに提示することも可能である。
【０１１７】
また、このとき、ユーザが管理サーバＳＶに設定したメンテナンスのレベルが「レベル
１」であれば、管理サーバＳＶがユーザに対して行うメンテナンスサービスは、メンテナ
ンス情報のみを提示するといった内容であり、また、ユーザが管理サーバＳＶに設定した
メンテナンスのレベルが「レベル２」であれば、管理サーバＳＶがユーザに対して行うメ
ンテナンスサービスは、自動で対応部品の発注までを行うといった内容である。また、ユ
ーザが管理サーバＳＶに設定したメンテナンスのレベルが「レベル３」であれば、管理サ
ーバＳＶがユーザに対して行うメンテナンスサービスは、メンテナンス要員を派遣するこ
とまで行うという内容である。
【０１１８】
[実施形態２]
実施形態１に係る画像表示装置のメンテナンスシステムでは、プロジェクタＰＪ１，Ｐ
Ｊ２，・・・を必要に応じて管理サーバＳＶに接続する例であったが（図１０参照）、実
施形態２に係る画像表示装置のメンテナンスシステムでは、プロジェクタＰＪ１，ＰＪ２
，・・・は管理サーバＳＶに常時接続状態としておくものである。なお、画像表示装置の
メンテナンスシステムの構成やその他の動作などは実施形態１と同様であるので、ここで
は、実施形態１の説明で用いた図１０に対応する処理手順のみについて説明する。
【０１１９】
図１４は実施形態２に係る画像表示装置のメンテナンスシステムにおけるプロジェクタ
ＰＪ１，ＰＪ２，・・・がメンテナンス情報の取得を行う際の処理の流れを示すフローチ
ャートある。なお、図１４はプロジェクタＰＪ１，ＰＪ２，・・・が管理サーバＳＶに常
時接続されている場合のプロジェクタの処理の流れを示すものである。図１４におけるス
テップＳ７１〜Ｓ７６は、図１０（ａ）におけるステップＳ３１〜Ｓ３６と同じである。
図１４が図１０（ａ）異なるのは、ユーザ操作及び投写開始（ステップＳ７７）がなされ
たあと、一定時間経過したか否かを判定し（ステップＳ７８）、一定時間経過するごとに
ステップＳ７４に戻って、ステップＳ７４〜Ｓ７８を繰り返す点である。
【０１２０】
このように、プロジェクタＰＪ１，ＰＪ２，・・・が管理サーバＳＶに常時接続されて
いる場合は、投写中におけるバックグラウンド処理により、プロジェクタＰＪ１，ＰＪ２
，・・・からはステータス情報を一定間隔で管理サーバＳＶ側に送信するようにしている
。そして、管理サーバＳＶではプロジェクタＰＪ１，ＰＪ２，・・・から送られてきたス
テータス情報に対するメンテナンス情報をプロジェクタＰＪ１，ＰＪ２，・・・に送信し
、プロジェクタでは送られてきたメンテナンス情報を表示するといった処理を行う。
【０１２１】
図１４に示すように、プロジェクタＰＪ１，ＰＪ２，・・・を管理サーバＳＶに常時接
続した状態とすることにより、プロジェクタからステータス情報などを送るごとに、その
都度、管理サーバとの接続処理を行うことなく、プロジェクタＰＪ１，ＰＪ２，・・・か
らのステータス情報などは一定時間ごとに管理サーバＳＶに送信される。また、管理サー
バＳＶからメンテナンス情報が送信されて来れば、そのメンテナンス情報をその都度受信
して表示することができる。
【０１２２】
なお、本発明は上述の実施の形態に限られるものではなく、本発明の要旨を逸脱しない
範囲で種々変形実施可能となるものである。たとえば、前述の各実施形態では、表示する
画像（コンテンツ）の階調情報や光源の光の強度などに基づく負荷値を積算した累積負荷
値を光変調素子の負荷情報として用いたが、光変調素子の負荷情報はこれに限られるもの
ではない。
【０１２３】
たとえば、液晶ライトバルブに加わる温度に基づく負荷値を積算した累積負荷値を光変
調素子の負荷情報として用いることも可能であり、また、プロジェクタの使用時間を単に
累積したプロジェクタ稼働時間を光変調素子の負荷情報として用いることも可能である。
また、これらの負荷情報を前述の実施形態で用いた画像（コンテンツ）の階調情報や光源
の光の強度と組み合わせて用いることも可能である。
【０１２４】
また、前述の各実施形態では、ＲＧＢの各液晶ライトバルブの交換の必要性の有無を示
す情報、交換時期に関する情報をメンテナンス情報としたが、メンテナンス情報としては
これらに限られるものではなく、たとえば、各液晶ライトバルブの特性変化の度合いを複
数の段階で表す情報など、他の要素をメンテナンス情報として用いることもできる。
【０１２５】
また、本発明の各実施形態に係る画像表示装置のメンテナンスシステムは図２に示した
ようにプロジェクタＰＪ１，ＰＪ２，・・・をネットワークＮＷに接続するのではなく、
図示を省略するが、たとえば、プロジェクタＰＪ１，ＰＪ２，・・・がＰＣなどを介して
ネットワークに接続される構成であってもよい。また、光変調素子の負荷情報取得装置は
ＰＣ側に設けるようにしてもよい。
【０１２６】
また、図１５に示すように、プロジェクタＰＪ１が携帯電話機ＣＰ１に接続可能であれ
ば、携帯電話網ＮＷ’を介してインターネットやイントラネットなどのネットワークＮＷ
に接続可能とする構成としてもよい。
【０１２７】
また、実施形態１に係る画像表示装置のメンテナンスシステムにおいては、プロジェク
タＰＪ１，ＰＪ２，・・・は管理サーバＳＶに対して必要に応じて接続可能とし、実施形
態２に係る画像表示装置のメンテナンスシステムにおいては、プロジェクタＰＪ１，ＰＪ
２，・・・は管理サーバＳＶに対して常時接続された状態として説明したが、それぞれの
実施形態において、個々のプロジェクタごとに必要に応じて接続可能とするか常時接続状
態とするかは任意に設定できることは勿論である。
【図面の簡単な説明】
【０１２８】
【図１】実施形態１に係る画像表示装置のメンテナンスシステムの構成を概略的に示す図。
【図２】図１に示したプロジェクタの構成を概略的に示す図。
【図３】図１に示したプロジェクタの光学系を概略的に示す図。
【図４】光変調素子の負荷情報取得装置が行う光変調素子の負荷情報取得手順を示すフローチャート。
【図５】図４のフローチャートを説明するための図。
【図６】図１に示した管理サーバＳＶの構成を概略的に示す図。
【図７】管理サーバＳＶの認証情報データベースＤＢ１、機器情報データベースＤＢ２、負荷情報データベースＤＢ３に保存される認証情報、機器情報、管理情報を示す図。
【図８】実施形態１に係る画像表示装置のメンテナンスシステムの全体的な処理の流れを示す図。
【図９】プロジェクタが管理サーバに送信する識別情報及びステータス情報のデータ構成の一例を示す図。
【図１０】実施形態１に係る画像表示装置のメンテナンスシステムにおけるプロジェクタがメンテナンス情報の取得を行う際の処理の流れをより詳細に示すフローチャート。
【図１１】実施形態１に係る画像表示装置のメンテナンスシステムにおける管理サーバがメンテナンス情報の生成を行う際の処理の流れをより詳細に示すフローチャート。
【図１２】メンテナンス情報としての液晶ライトバルブの交換の必要性の有無を判断する情報を生成する処理について説明する図。
【図１３】メンテナンス情報としての液晶ライトバルブの交換時期に関する情報（液晶ライトバルブの残りの使用可能時間）を生成する処理を説明する図。
【図１４】実施形態２に係る画像表示装置のメンテナンスシステムにおけるプロジェクタがメンテナンス情報の取得を行う際の処理の流れを示すフローチャート。
【図１５】プロジェクタを携帯電話網を介してインターネットなどに接続する例を示す図。
【符号の説明】
【０１２９】
１・・・画像表示制御部、２・・・光学系、１１・・・画像信号入力部、１２・・・光
変調素子の負荷情報取得装置、１３・・・画像信号変換部、１４・・・出力信号処理部、
１５・・・光変調素子駆動部、１６・・・制御部、１７・・・補正パラメータ記憶部、１
８・・・光源駆動部、１９・・・管理情報入出力制御部、３１・・・管理情報送受信部、
３２・・・メンテナンス情報生成部、１２１・・・画像信号解析部、１２２・・・負荷値
演算部、１２３・・・累積負荷値記憶部、ＰＪ１，ＰＪ２，・・・・・・プロジェクタ、
ＮＷ・・・ネットワーク、ＳＶ・・・管理サーバ、ＤＢ１・・・認証情報データベース、
ＤＢ２・・・機器情報データベース、ＤＢ３・・・負荷情報データベース
【図１】
2007108205.tif 000003
【図２】
2007108205.tif 000004
【図３】
2007108205.tif 000005
【図４】
2007108205.tif 000006
【図５】
2007108205.tif 000007
【図６】
2007108205.tif 000008
【図７】
2007108205.tif 000009
【図８】
2007108205.tif 000010
【図９】
2007108205.tif 000011
【図１０】
2007108205.tif 000012
【図１１】
2007108205.tif 000013
【図１２】
2007108205.tif 000014
【図１３】
2007108205.tif 000015
【図１４】
2007108205.tif 000016
【図１５】
2007108205.tif 000017